(57)【要約】【課題】  ガラス製の薬用瓶に装着した場合でも、薬用瓶およびゴム栓のフランジ部に対して常に高い密着性を保持できて瓶口の密封性を確実に確保することができる簡易な構成の薬用瓶の樹脂製キャップの提供を課題とする。【解決手段】  ゴム栓により瓶口が閉塞されている薬用瓶の当該瓶口のフランジ部に装着する樹脂製のキャップ１１は、円筒体の周胴部１１ａと頂面板１１ｂとによって構成されている。周胴部１１ａの内壁面には、キャップ１１を瓶口に装着したときに瓶口のフランジ部の下端部に当接する複数個の突条４０が配設されている。周胴部１１ａの内壁面と突条４０の上部の境界線４１から突条４０の先端部４２に至る突条４０の上縁部は、下向きの傾斜面となるように形成されている。【選択図】  図１
0003202958.tif 000002
【実用新案登録請求の範囲】
【請求項１】
ゴム栓によって瓶口が閉塞されている薬用瓶の前記瓶口のフランジ部に冠着した状態で係止する薬用瓶の樹脂製キャップであって、
前記瓶口のフランジ部の周囲に密着する円筒体からなる周胴部の上面に頂面板を一体的に形成することによって構成され、
前記頂面板の中央部には透孔が形成され、
前記周胴部の内壁には、前記瓶口のフランジ部に冠着させた際、当該フランジ部の下端部に当接する複数個の突条が、前記頂面板の内壁面からの距離が等距離となる同一円周上に並設され、
前記周胴部の内壁面と前記突条との上部の境界線から前記突条の先端部に至る前記突条の上縁部が、前記複数個の突条の全てにおいて下向きの同一の傾斜面となるように形成されていることを特徴とする薬用瓶の樹脂製キャップ。
【請求項２】
前記複数個の突条が同一円周上に並設されている前記周胴部の内壁面の前記突条が配設されていない部分の下側に位置する前記周胴部の下端部には、前記突条が配設されている位置には至らない高さの切欠き部が形成されていることを特徴とする請求項１に記載の薬用瓶の樹脂製キャップ。
【請求項３】
前記複数個の突条が同一円周上に並設されている前記周胴部の内壁面の前記突条が配設されていない部分の前記周胴部には、当該周胴部の下端部から上方に向かって延在するスリットが形成されていることを特徴とする請求項１に記載の薬用瓶の樹脂製キャップ。
【請求項４】
前記複数個の突条が同一円周上に並設されている前記周胴部の内壁面の前記突条が配設されている部分の下側に位置する前記周胴部には、当該周胴部の下端部から上方に向かって延在する１本ないし複数本のスリットが形成されていることを特徴とする請求項１に記載の薬用瓶の樹脂製キャップ。
【考案の詳細な説明】
【技術分野】
【０００１】
本考案は、ゴム栓により瓶口が閉塞されている薬用瓶の瓶口に装着される薬用瓶の樹脂製キャップに関するものである。
【背景技術】
【０００２】
薬剤や薬液などを収納し、瓶口がゴム栓で閉塞された薬用瓶の瓶口に、ゴム栓の脱落を防止する目的で装着するキャップを、アルミニウムの口金ではなく樹脂で構成するものは既に提案されている（特開平７−１６５２５２号公報），（特許第５４７９０２９号公報）。
【０００３】
先ず、図面を用いて第１の従来例（特開平７−１６５２５２号公報）の構成について説明する。
【０００４】
図７は、従来の樹脂製のキャップ１１の構成を示した図で、（ａ）は断面斜視図，（ｂ）は縦断面図である。図８は、樹脂製のキャップ１１を薬用瓶２０の瓶口２０ａに装着した状態を示した断面図である。
【０００５】
このキャップ１１は、薬用瓶２０の内容物が凍結乾燥を必要とする薬剤であることを想定して構成されているものであり、図８（ａ）は凍結乾燥をしている段階の半打栓状態を示した図であり、図８（ｂ）は薬剤の凍結乾燥が終了した後、薬剤を使用するまで保管する全打栓状態を示した図である。
【０００６】
図８において、２０は薬用瓶、２０ａは瓶口、２０ｂは瓶口２０ａのフランジ部、１５はフランジ部１５ｂを有するゴム栓、１３は注射針を通すための透孔１２を閉塞するためのシールである。Ｌ１は瓶口２０ａのフランジ部２０ｂの厚み、Ｌ２はゴム栓１５のフランジ部１５ｂの厚み、Ｌはキャップ１１の頂面板１１ｂの内壁面から突条１８の上縁部までの距離をそれぞれ示している。
【０００７】
この樹脂製のキャップ１１は図７に示したように、薬用瓶２０のフランジ部２０ｂの周囲に密着する円筒体からなる周胴部１１ａの上面に頂面板１１ｂを一体的に形成することによって構成されている。
【０００８】
頂面板１１ｂの中央部には注射針を通すための透孔１２が形成されている。
【０００９】
周胴部１１ａの内壁面には突条１６，１８，１９が形成されている。１７は薬剤の凍結乾燥時に使用される通気溝である。
【００１０】
突条１６は、凍結乾燥時の半打栓状態でゴム栓１５のフランジ部１５ｂを係止するためのものであり（図８（ａ）参照）、突条１８は、凍結乾燥終了後の保管時における全打栓状態でキャップ１１を薬用瓶２０のフランジ部２０ｂに冠着させた状態で係止させるためのものである（図８（ｂ）参照）。
【００１１】
なお、図８（ａ）に示した半打栓状態においては、突条１８と突条１９とが協働してキャップ１１を薬用瓶２０のフランジ部２０ｂに係止する。
【００１２】
ここで、図８（ｂ）に示した薬剤の保管時における全打栓状態においては、頂面板１１ｂと突条１８の上縁部との距離Ｌを、図８（ａ）に示した薬用瓶２０のフランジ部２０ｂの厚みＬ１とゴム栓１５のフランジ部１５ｂの厚みＬ２との和よりも若干小さな値（設計値Ｌ）に選んでおけば、ゴム栓１５のフランジ部１５ｂを圧縮した状態で薬用瓶２０のフランジ部２０ｂの上面に密着させることができ密封性の向上を図ることができる。
【００１３】
次に、図面を用いて第２の従来例（特許第５４７９０２９号公報）の構成について説明する。
【００１４】
図９は第２の従来例の外側の構成を示した斜視図であり、図１０は内側の構成を示した斜視図である。
【００１５】
図９，図１０に示したように、この第２の従来例においても基本的には第１の従来例と同様に、樹脂製のキャップ１１は、円筒体からなる周胴部１１ａと、透孔１２を有する頂面板１１ｂとによって構成されている。
【００１６】
図９において、Ｃ１２は、その頂部にカバーＤ（図１１参照）を接着固定するための突起であり、１２ａは貫通孔である。
【００１７】
また図１０に示したように、この第２の従来例のキャップ１１の内側には、薬用瓶の瓶口のフランジ部の下端部に当接する「逆レ字状」の係止爪Ｃ５が配設されている。さらに、このキャップ１１の内側の上部には、キャップ１１を装着する際にゴム栓の上部に圧接する凸部Ｃ２，Ｃ１１が配設されている。Ｃ４は、薬用瓶の瓶口のフランジ部の側壁部に当接する突条である。
【００１８】
以上のように構成された第２の従来例のキャップ１１においては、図１１に示すように、キャップ１１をゴム栓１５で閉塞される薬用瓶２０の瓶口２０ａのフランジ部２０ｂに装着する際、凸部Ｃ２がゴム栓の上部を圧縮する。従って図１２に示すように、キャップ１１が装着された状態においては、ゴム栓１５の上部は凸部Ｃ２によって圧縮された状態となっている。
【００１９】
従って、この第２の従来例が薬用瓶２０に装着されている図１２に示したような状態においては、薬用瓶２０のフランジ部２０ｂとゴム栓１５のフランジ部１５ｂとは、凸部Ｃ２と係止爪Ｃ５とによって弾性的に挟持された状態を保つことになる。
【先行技術文献】
【特許文献】
【００２０】
【特許文献１】特開平７−１６５２５２号公報
【特許文献２】特許第５４７９０２９号公報
【考案の概要】
【考案が解決しようとする課題】
【００２１】
現在、薬用瓶２０としてはガラス製の薬用瓶が広く用いられており、また、一般にガラス製品は、設計値と実際の製品の寸法との誤差が、樹脂等の製品の誤差に比して大きいことが知られている。
【００２２】
従って、薬用瓶２０がガラス製の薬用瓶である場合、上述した第１の従来例においては、図８（ａ）に示したフランジ部２０ｂの厚みが設計値通りにＬ１であれば、図１３（ａ）に示したように突条１８の上縁部がフランジ部２０ｂの下端部に当接するので薬用瓶２０の瓶口２０ａの密封性は確保される。しかしながら、フランジ部２０ｂの厚みが設計値ＬよりもΔＬだけ少ない場合には、図１３（ｂ）に示したようにフランジ部２０ｂの下端部と突条１８の上縁部との間に隙間が生じやすくなり、薬用瓶２０の瓶口２０ａの密封性に対する懸念が生じる。また、フランジ部２０ｂの厚みが設計値Ｌよりも大きな場合には、キャップ１１のフランジ部２０ｂへの係止に関して懸念が生じる。
【００２３】
以上のような第１の従来例に生じる懸念を払拭するために、第２の従来例においては、凸部Ｃ２と係止爪Ｃ５とによって、薬用瓶２０のフランジ部２０ｂとゴム栓１５のフランジ部１５ｂとを弾性的に挟持する構成となっている。
【００２４】
本考案の課題は、上述した第２の従来例とは異なる新たな発想に基づく簡易な構成で、ガラス製の薬用瓶に装着した場合でも、常に瓶口の密封性を確実に確保することができる薬用瓶の樹脂製キャップを提供することにある。
【課題を解決するための手段】
【００２５】
以上説明したような懸念を払拭するために本考案は、ゴム栓によって瓶口が閉塞されている薬用瓶の前記瓶口のフランジ部に冠着した状態で係止する薬用瓶の樹脂製キャップであって、前記瓶口のフランジ部の周囲に密着する円筒体からなる周胴部の上面に頂面板を一体的に形成することによって構成され、前記頂面板の中央部には透孔が形成され、前記周胴部の内壁には、前記瓶口のフランジ部に冠着させた際、当該フランジ部の下端部に当接する複数個の突条が、前記頂面板の内壁面からの距離が等距離となる同一円周上に並設され、前記周胴部の内壁面と前記突条との上部の境界線から前記突条の先端部に至る前記突条の上縁部が、前記複数個の突条の全てにおいて下向きの同一の傾斜面となるように形成されていることを特徴とするものである。ここで、前記複数個の突条が同一円周上に並設されている前記周胴部の内壁面の前記突条が配設されていない部分の下側に位置する前記周胴部の下端部には、前記突条が配設されている位置には至らない高さの切欠き部が形成されていてもよいし、また、前記複数個の突条が同一円周上に並設されている前記周胴部の内壁面の前記突条が配設されていない部分の前記周胴部には、当該周胴部の下端部から上方に向かって延在するスリットが形成されていてもよいし、さらに、前記複数個の突条が同一円周上に並設されている前記周胴部の内壁面の前記突条が配設されている部分の下側に位置する前記周胴部には、当該周胴部の下端部から上方に向かって延在する１本ないし複数本のスリットが形成されていてもよい。
【考案の効果】
【００２６】
本考案によれば、ガラス製の薬用瓶に装着した場合でも、薬用瓶およびゴム栓のフランジ部に対して常に高い密着性を保持できて瓶口の密封性を確保することができる簡易な構成の薬用瓶の樹脂製キャップを提供することができる。
【図面の簡単な説明】
【００２７】
【図１】本考案の実施例１の構成を示した構成図である。
【図２】本考案の実施例１の構成の説明図である。
【図３】本考案の実施例１の動作の説明図である。
【図４】本考案の実施例１の構成の説明図である。
【図５】本考案の実施例１の構成の説明図である。
【図６】本考案の実施例１の構成の説明図である。
【図７】従来の樹脂製キャップの構成を示す構成図である。
【図８】従来の樹脂製キャップの構成の説明図である。
【図９】従来の樹脂製キャップの構成を示す斜視図である。
【図１０】図９に示す樹脂製キャップの内側の構成を示す斜視図である。
【図１１】図９および図１０に示した樹脂製キャップの構成の説明図である。
【図１２】図９および図１０に示した樹脂製キャップの構成の説明図である。
【図１３】従来の樹脂製キャップの構成の説明図である。
【考案を実施するための形態】
【００２８】
以下、図面を用いて本考案の実施例を説明する。
【実施例１】
【００２９】
図１は、本考案の実施例１の構成を示した図であり、（ａ）は断面斜視図、（ｂ）は部分拡大図、（ｃ）は平面図である。図２は、本実施例１を薬用瓶２０のフランジ部２０ｂに装着した状態（全打栓状態）を示した断面図である。
【００３０】
図１および図２において、従来例の説明で用いた図５および図６と同一符号のものは同一のものを示しているのでその説明は省略する。
【００３１】
図２に示したように、本実施例１はフランジ部２０ｂに装着された状態においては、従来例と同様に（図６（ｂ）参照）、フランジ部２０ｂにゴム栓１５のフランジ部１５ｂを介して冠着された状態で係止されるものである。なお、本実施例１においては、透孔１２は、係止爪３１で頂面板１１ｂに係着している樹脂製の蓋部材３０によって閉塞されている。
【００３２】
図１（ａ）に示したように、本実施例１も従来例と同様に円筒体の周胴部１１ａと、透孔１２を有する頂面板１１ｂとによって構成されている。
【００３３】
本実施例１が従来例と異なるところは、突条４０の形態にある。
【００３４】
すなわち、図１（ａ），（ｃ）に示したように、本実施例１に係る突条４０は、頂面板１１ｂの内壁面からの距離が等距離となるような同一円周上に複数個並設されている。
【００３５】
さらに、それぞれの突条４０は、図１（ｂ）に示したように、周胴部１１ａの内壁面と突条４０との上部の境界線４１から先端部４２に至る上縁部が下向きの傾斜面となるように形成されている。
【００３６】
このような複数個の突条４０を有する本実施例１においては、境界線４１と先端部４２との中間点付近と頂面板１１ｂの内壁面との距離の値を、従来例で説明した設計値Ｌに選んでおけば、フランジ部２０ｂの厚みが設計値通りの厚みであれば、図３（ｂ）に示したように、突条４０の境界線４１と先端部４２との中間点付近で突条４０はフランジ部２０ｂの下端部に当接する。また、フランジ部２０ｂの厚みがΔＬだけ小さい場合には境界線４１寄りの部分で突条４０はフランジ部２０ｂの下端部に当接し（図３（ｃ））、厚みがΔＬだけ大きい場合には先端部４２寄りの部分で突条４０はフランジ部２０ｂの下端部に当接する（図３（ａ））。
【００３７】
ここで、図３（ａ）〜（ｃ）に示したように、フランジ部２０ｂの下端部付近では、樹脂製の周胴部１１ａはその内径が若干広がるように弾性変形する。すなわち、図２に示したような本実施例１をフランジ部２０ｂを装着した状態においては、図３（ａ）〜（ｃ）に示したように弾性変形した周胴部１１ａから突条４０に対して、境界線４１の側から先端部４２の側に向う方向に力Ｆが常に作用することになる。このようにフランジ部２０ｂの下端部には「楔を打ち込む」ような力Ｆが常に作用しているため、図２に示したような状態においては、フランジ部２０ｂとゴム栓１５は本実施例１によって強い力によって挟持される状態が保たれる。
【００３８】
このように本実施例１においては、ガラス製の薬用瓶２０のフランジ部２０ｂの厚みに多少の誤差があっても、周胴部１１ａの弾性変形を利用して薬用瓶２０およびゴム栓１５のフランジ部１５ｂ，２０ｂに対して常に高い密着性を保持することが出来るので、薬用瓶２０の瓶口２０ａの密封性を常に確保することができる。
【００３９】
ここで、相隣接している２つの突条４０の間の部分は、図２に示した状態で滅菌処理を行なう場合に、水蒸気の通路として機能する。
【００４０】
さらに、この相隣接する２つの突条４０の間の部分の下側に位置する部分に、図４（ａ），（ｂ）に示すように、切欠き部４３を設けておけば、滅菌処理時の水蒸気の流通性を高めることができるとともに、キャップ１１をフランジ部２０ｂに冠着させる際に、その冠着作業を容易に行なうようにすることができる。この場合、切欠き部４３の上端が突条４０が配設されている位置に至らなければ、図３（ａ）〜（ｃ）に示した力Ｆにはほとんど影響を与えないので、突条４０によるキャップ１１のフランジ部２０への係止機能は確保される。
【００４１】
また、キャップ１１の冠着作業の容易化のみを目的とするのであれば、図４（ａ），（ｂ）に示した切欠き部４３に代えて、図５（ａ），（ｂ）に示したようなスリット４４を設けてもよい。このようなスリット４４を設ける場合には、そのスリット４４の上端の位置が突条４０が配設されている位置以上の位置に達したとしても、図３（ａ）〜（ｃ）に示した力Ｆにはほとんど影響を与えないので、突条４０によるキャップ１１のフランジ部２０への係止機能は確保される。このようなキャップ１１の冠着作業を容易化するために配設するスリット４４は、図６（ａ），（ｂ）に示したように、突条４０が配設されている位置の下側に１本ないし複数本配設しても、その効果を得ることができる。
【符号の説明】
【００４２】
１１  キャップ
１１ａ  周胴部
１１ｂ  頂面板
１２  透孔
１２ａ  貫通孔
１５  ゴム栓
１５ｂ，２０ｂ  フランジ部
１６，１８，１９  突条
２０  薬用瓶
２０ａ  瓶口
３０  蓋部材
３１  係止爪
４０  突条
４１  境界線
４２  先端部
４３  切欠き部
４４  スリット
Ｃ２，Ｃ１１  凸部
Ｃ４  突条
Ｃ５  係止爪
Ｃ１２  突起
Ｆ  力
Ｌ  距離
Ｌ１，Ｌ２  厚み
【図１】
0003202958.tif 000003
【図２】
0003202958.tif 000004
【図３】
0003202958.tif 000005
【図４】
0003202958.tif 000006
【図５】
0003202958.tif 000007
【図６】
0003202958.tif 000008
【図７】
0003202958.tif 000009
【図８】
0003202958.tif 000010
【図９】
0003202958.tif 000011
【図１０】
0003202958.tif 000012
【図１１】
0003202958.tif 000013
【図１２】
0003202958.tif 000014
【図１３】
0003202958.tif 000015